(57)【特許請求の範囲】
【請求項１】
現像剤補給容器が着脱自在であり、現像剤を受入れる受入れ口と、前記現像剤補給容器の周面に沿って且つ前記現像剤補給容器の長手方向に伸びた板状であり、前記受入れ口を開閉する装置シャッターと、を有する現像剤受入れ装置と、
現像剤を収容する円筒状の容器本体と、前記容器本体の周面に設けられた前記容器本体内の現像剤を排出する排出口と、前記容器本体の周面に沿って且つ前記容器本体の長手方向に伸びた板状であり、前記現像剤受入れ装置により移動を規制された状態で前記容器本体が回転移動することにより前記排出口を開閉する容器シャッターと、前記容器本体の回転移動により前記装置シャッターと係合及び解除自在に設けられた、前記容器本体と前記装置シャッターの回転移動を連動させる連動部と、を有する現像剤補給容器と、
から構成される現像剤補給装置であって、
前記排出口を上方に向けた状態での前記現像剤受入れ装置からの前記現像剤補給容器の取り外しを許容する装脱着位置と前記排出口から前記受入れ口へ現像剤を補給する現像剤補給位置の間において前記容器本体を回転移動させる排出口開封及び再封動作において、前記装脱着位置と前記現像剤補給位置との間に前記装置シャッターと前記連動部が係合する係合位置を設け、
前記排出口開封動作時において、前記装脱着位置と前記係合位置の間は前記容器シャッターが前記現像剤受入れ装置に移動を規制されてから前記容器本体のみが回転移動して、前記容器シャッターから露出した前記排出口の移動方向先端が前記装置シャッターの移動方向後端と略一致した時に前記係合位置において前記装置シャッターと前記連動部が係合し、前記係合位置と前記現像剤補給位置の間は前記容器本体と前記装置シャッターの回転移動が連動することで前記排出口と前記受入れ口が連通し、
前記排出口再封動作時において、前記現像剤補給位置と前記係合位置の間は前記排出口の移動方向後端が前記装置シャッターの移動方向先端と略一致した状態を維持したまま前記容器本体と前記装置シャッターの回転移動が連動することで前記受入れ口が再封し、前記係合位置と前記装脱着位置の間は前記装置シャッターとの係合解除により前記容器本体のみが回転移動して、前記排出口が前記容器シャッターに遮蔽された後前記装脱着位置に戻ることを特徴とする現像剤補給装置。
【請求項２】
前記連動部は前記排出口の移動方向先端が前記装置シャッターの移動方向後端から５ｍｍ以内の位置にあるときに前記装置シャッターと係合して、前記装置シャッターの回転移動を開始させることを特徴とする請求項１に記載の現像剤補給装置。
【請求項３】
前記容器本体が移動しているとき前記排出口の移動方向先端が前記装置シャッターの移動方向後端と略一致した状態を維持するように前記連動部は前記装置シャッターとの係合関係が維持されていることを特徴とする請求項１に記載の現像剤補給装置。
【請求項４】
前記現像剤受入れ装置に設けられたストッパーにて前記装置シャッターが移動を規制されることにより前記連動部が前記容器本体の移動を規制することを特徴とする請求項３に記載の現像剤補給装置。
【請求項５】
前記連動部は、前記排出口が前記受入れ口と連通した状態からこれらを再封する際、前記排出口の移動方向後端が前記装置シャッターの移動方向先端と略一致した状態を維持したまま前記装置シャッターが前記受入れ口を閉じ切るように、前記容器本体と前記装置シャッターの逆方向への回転移動を連動させることを特徴とする請求項１に記載の現像剤補給装置。
【請求項６】
前記連動部は、前記装置シャッターが前記受入れ口を閉じ切るのと略同時に前記排出口の移動方向後端近傍が前記容器シャッターに入り込むよう、前記容器本体と前記装置シャッターの逆方向への回転移動を連動させることを特徴とする請求項５に記載の現像剤補給装置。
【請求項７】
前記連動部は前記容器本体の周面から突出するように設けられていることを特徴とする請求項１に記載の現像剤補給装置。
【請求項８】
前記連動部は前記装置シャッターとスナップフィット連結するスナップフィット構造部を有することを特徴とする請求項７に記載の現像剤補給装置。
【請求項９】
現像剤補給容器が着脱自在であり、現像剤を受入れる受入れ口と、前記現像剤補給容器の周面に沿って且つ前記現像剤補給容器の長手方向に伸びた板状であり、前記受入れ口を開閉する装置シャッターと、を有する現像剤受入れ装置と、
現像剤を収容する円筒状の容器本体と、前記容器本体の周面に設けられた前記容器本体内の現像剤を排出する排出口と、前記容器本体の第１の回転方向への回転移動に伴って前記装置シャッターを開封し、前記容器本体の前記第１の回転方向とは逆の第２の回転方向への回転移動に伴って前記装置シャッターを再封するため、前記装置シャッターと係合及び解除自在に設けられた係合部と、を有する現像剤補給容器と、
から構成される現像剤補給装置であって、
前記係合部は前記装置シャッターと解除自在にスナップフィット連結するスナップフィット構造部を有し、
前記容器本体の前記第１の回転方向への回転移動において、前記排出口の移動方向先端が前記装置シャッターの移動方向後端と略一致したときに前記係合部が前記装置シャッターと係合し、前記係合により前記排出口の移動方向先端が前記装置シャッターの移動方向後端と略一致した状態を維持したまま前記装置シャッターが前記容器本体の回転移動に連動して前記第１の回転方向に回転移動して前記受入れ口を開封して、前記排出口が前記受入れ口と連通し、
前記容器本体の前記第２の回転方向への回転移動において、前記排出口が前記受入れ口と連通した状態から、前記係合により前記排出口の移動方向後端が前記装置シャッターの移動方向先端と略一致した状態を維持したまま前記装置シャッターが前記容器本体の回転移動に連動して前記第２の回転方向に回転移動して前記受入れ口を閉じ切り、その後、前記係合を解除することを特徴とする現像剤補給装置。
【請求項１０】
前記係合部は、前記容器本体の第１の回転方向への移動に伴って前記装置シャッターを押し下げ、前記容器本体の第２の回転方向への移動に伴って前記装置シャッターを引き上げることを特徴とする請求項９に記載の現像剤補給装置。
【請求項１１】
前記容器本体の周面に沿って且つ前記容器本体の長手方向に伸びた板状であり、前記現像剤受入れ装置により移動を規制された状態で前記容器本体が回転移動することにより前記排出口を開閉する容器シャッターを更に有することを特徴とする請求項９に記載の現像剤補給装置。
【発明の詳細な説明】
【技術分野】
【０００１】
本発明は、に、現像剤を補給するための現像剤補給容器が着脱自在な、複写機、ファクシミリ、プリンタ等の電子写真画像形成装置の現像剤受入れ装置に関する。
【背景技術】
【０００２】
従来、電子写真複写機やプリンタ等の画像形成装置には現像剤として微粉末のトナーが使用されている。そして、画像形成装置本体のトナーが消費された場合には、トナー補給容器を用いて画像形成装置へトナーを補給することが行われている。ただ、トナーは極めて微細な粉末であるため、トナー補給作業時にトナーが飛散してオペレータや周囲を汚すという問題があった。このため、トナー補給容器を画像形成装置本体内部に据え置いて、小さな開口部から少量ずつトナーを排出する方式が提案、実用されている。
【０００３】
こうした従来のトナー補給容器を、以下に例示して簡単に説明する。
【０００４】
例えば、特開平７−１９９６２３号公報に開示されているように、円筒状のトナー補給容器を画像形成装置本体に装着した際、現像装置のトナー補給口に設けたシャッターの両縁を、トナー補給容器周面の長手方向の両端に各々円周方向に対向して設けた突起にて保持し、この状態でトナー補給容器を回転させるとシャッターが開封されて、トナー補給容器と現像装置の開口が連通してトナー補給が行われる、ものがある。
【０００５】
このようなトナー補給容器に関して、トナー補給後のトナー補給容器及び現像装置のトナー汚れをより低減する構成が待望されている。
【０００６】
また、特開平１０−４８９３８号公報や特開平１０−５５１０３号公報に開示されているように、トナー補給容器を画像形成装置本体内の現像装置の側部に装着した後、トナー補給容器を回転させると、トナー補給容器の開口を塞ぐように設けられた容器シャッターが現像装置にて規制された状態でトナー補給容器のみが回転することによって容器シャッターの開封が行われる、ものがある。また、このとき、トナー補給容器と係合関係にある現像装置のシャッターもトナー補給容器の回転によって開封され、トナー補給容器と現像装置が連通してトナー補給可能な状態となる、ものがある。
【０００７】
更に、実開昭６３−８６６５２号公報に開示されているように、トナー補給容器を画像形成装置本体に装着した後、トナー補給容器を回転させた際に、トナー補給容器周面の長手方向の両端に１つずつ設けた突起を、画像形成装置本体内の現像装置のシャッターに設けられた穴に嵌合させてシャッターを開閉する、ものがある。
【０００８】
【特許文献１】特開平７−１９９６２３号公報
【特許文献２】特開平１０−４８９３８号公報
【特許文献３】特開平１０−５５１０３号公報
【特許文献４】実開昭６３−８６６５２号公報
【発明の開示】
【発明が解決しようとする課題】
【０００９】
しかしながら、上記特開平７−１９９６２３号公報に開示されている構成の場合、使用後のほぼ空になったトナー補給容器を装置本体から取り出す際にはトナー補給容器の開口が真上を向いた状態となっているので開口からトナーが出ないようにされているものの、トナー補給容器の開口を開閉するシャッター機構が設けられていないため、取り出されたトナー補給容器を逆向きにした場合などに微量ではあるがトナーが出てしまう可能性があり、ユーザビリティ性の向上が望まれている。
【００１０】
上記実開昭６３−８６６５２号公報に開示されている構成の場合、回転移動するトナー補給容器の両端の突起と直線移動する現像装置のシャッターとの位置関係を考慮すると、トナー補給容器を回転させた際に、容器の両端に設けられた突起をシャッターの両端に設けられた穴に確実に嵌め込むように構成するのは設計上困難であり、無理に嵌め込もうとした場合、シャッター機構を破損させてしまう恐れがあった。また、シャッターを確実に閉じ切ると共に容器両端の突起をシャッターの穴から確実に脱離させようとする構成も同様に困難であった。
【００１１】
また、上記特開平１０−５５１０３号公報に開示されている構成の場合、容器のトナー排出口を覆う遮へい部材が設けられているので、トナー補給容器を交換後のトナー汚れを防止することは可能であるが、現像装置のシャッターがトナー補給容器の回転当初からトナー補給容器と共に連れ回りする構成とされているので、トナー補給容器の回転開始直後に現像装置のシャッターが開封され始めてしまい、現像装置内に収容されているトナーがトナー補給容器の外周面に付着して汚れてしまう問題があった。
【００１２】
従って、トナー補給容器を取り出した際にこのトナー補給容器の外周面に付着したトナーによって操作者がトナーで汚れてしまった。一方、再封時は現像装置側がトナーで汚れてしまうので、トナー補給容器の交換のたびにこのトナーが現像装置側に蓄積されてしまい、これが原因でトナー補給容器の外周面が汚れ開封時と同様な問題が生じてしまった。
【００１３】
本発明の目的は、排出口を開封するための現像剤補給容器の回転に起因して、現像剤補給容器が現像剤で汚れてしまうのを抑制することである。
【００１４】
本発明の他の目的は、排出口を再封するための現像剤補給容器の回転に起因して、現像剤補給容器が現像剤で汚れてしまうのを抑制することである。
【００１５】
本発明の他の目的は、装置シャッターの開閉を簡単な構成で確実に行うことである。
【課題を解決するための手段】
【００１６】
上記目的を達成するための本発明の代表的な構成は、現像剤補給容器が着脱自在であり、現像剤を受入れる受入れ口と、前記現像剤補給容器の周面に沿って且つ前記現像剤補給容器の長手方向に伸びた板状であり、前記受入れ口を開閉する装置シャッターと、を有する現像剤受入れ装置と、現像剤を収容する円筒状の容器本体と、前記容器本体の周面に設けられた前記容器本体内の現像剤を排出する排出口と、前記容器本体の周面に沿って且つ前記容器本体の長手方向に伸びた板状であり、前記現像剤受入れ装置により移動を規制された状態で前記容器本体が回転移動することにより前記排出口を開閉する容器シャッターと、前記容器本体の回転移動により前記装置シャッターと係合及び解除自在に設けられた、前記容器本体と前記装置シャッターの回転移動を連動させる連動部と、を有する現像剤補給容器と、から構成される現像剤補給装置であって、前記排出口を上方に向けた状態での前記現像剤受入れ装置からの前記現像剤補給容器の取り外しを許容する装脱着位置と前記排出口から前記受入れ口へ現像剤を補給する現像剤補給位置の間において前記容器本体を回転移動させる排出口開封及び再封動作において、前記装脱着位置と前記現像剤補給位置との間に前記装置シャッターと前記連動部が係合する係合位置を設け、前記排出口開封動作時において、前記装脱着位置と前記係合位置の間は前記容器シャッターが前記現像剤受入れ装置に移動を規制されてから前記容器本体のみが回転移動して、前記容器シャッターから露出した前記排出口の移動方向先端が前記装置シャッターの移動方向後端と略一致した時に前記係合位置において前記装置シャッターと前記連動部が係合し、前記係合位置と前記現像剤補給位置の間は前記容器本体と前記装置シャッターの回転移動が連動することで前記排出口と前記受入れ口が連通し、前記排出口再封動作時において、前記現像剤補給位置と前記係合位置の間は前記排出口の移動方向後端が前記装置シャッターの移動方向先端と略一致した状態を維持したまま前記容器本体と前記装置シャッターの回転移動が連動することで前記受入れ口が再封し、前記係合位置と前記装脱着位置の間は前記装置シャッターとの係合解除により前記容器本体のみが回転移動して、前記排出口が前記容器シャッターに遮蔽された後前記装脱着位置に戻ることを特徴とする。
【００１８】
また上記目的を達成するための本発明の他の構成は、現像剤補給容器が着脱自在であり、現像剤を受入れる受入れ口と、前記現像剤補給容器の周面に沿って且つ前記現像剤補給容器の長手方向に伸びた板状であり、前記受入れ口を開閉する装置シャッターと、を有する現像剤受入れ装置と、現像剤を収容する円筒状の容器本体と、前記容器本体の周面に設けられた前記容器本体内の現像剤を排出する排出口と、前記容器本体の第１の回転方向への回転移動に伴って前記装置シャッターを開封し、前記容器本体の前記第１の回転方向とは逆の第２の回転方向への回転移動に伴って前記装置シャッターを再封するため、前記装置シャッターと係合及び解除自在に設けられた係合部と、を有する現像剤補給容器と、から構成される現像剤補給装置であって、前記係合部は前記装置シャッターと解除自在にスナップフィット連結するスナップフィット構造部を有し、前記容器本体の前記第１の回転方向への回転移動において、前記排出口の移動方向先端が前記装置シャッターの移動方向後端と略一致したときに前記係合部が前記装置シャッターと係合し、前記係合により前記排出口の移動方向先端が前記装置シャッターの移動方向後端と略一致した状態を維持したまま前記装置シャッターが前記容器本体の回転移動に連動して前記第１の回転方向に回転移動して前記受入れ口を開封して、前記排出口が前記受入れ口と連通し、前記容器本体の前記第２の回転方向への回転移動において、前記排出口が前記受入れ口と連通した状態から、前記係合により前記排出口の移動方向後端が前記装置シャッターの移動方向先端と略一致した状態を維持したまま前記装置シャッターが前記容器本体の回転移動に連動して前記第２の回転方向に回転移動して前記受入れ口を閉じ切り、その後、前記係合を解除することを特徴とする。
【発明の効果】
【００１９】
上記本発明によれば、排出口を開封するための現像剤補給容器の回転に起因して、現像剤補給容器が現像剤で汚れてしまうのを抑制することができる。
【００２０】
また上記本発明によれば、排出口を再封するための現像剤補給容器の回転に起因して、現像剤補給容器が現像剤で汚れてしまうのを抑制することができる。
【００２１】
また上記本発明によれば、装置シャッターの開閉を簡単な構成で確実に行うことができる。
【発明を実施するための最良の形態】
【００２２】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものであり、特に特定的な記載がない限りは、本発明の範囲をそれらのみに限定する趣旨のものではない。
【００２３】
まず最初に、現像剤補給容器としてのトナー補給容器が装着される電子写真画像形成装置の一例である電子写真複写機の構成について図１に基づいて説明する。
【００２４】
同図において、１００は電子写真複写機本体（以下装置本体という）である。また、１０１は原稿であり、原稿台ガラス１０２の上に置かれる。そして、画像情報に応じた光像が光学部１０３の複数のミラーＭとレンズＬｎにより、電子写真感光体ドラム１０４上に結像する。１０５〜１０８はカセットである，これらカセット１０５〜１０８に積載された記録媒体（以下、「用紙」という。）Ｐのうち、操作部から使用者が入力した情報もしくは原稿１０１の紙サイズから最適な用紙をカセット１０５〜１０８の用紙サイズ情報から選択する。ここで、記録媒体としては、用紙に限定されずに、例えばＯＨＰシート等適宜選択できる。
【００２５】
そして、給送分離装置１０５Ａ〜１０８Ａにより搬送された１枚の用紙Ｐを、搬送部１０９を経由してレジストローラ１１０まで搬送し、ドラム１０４の回転と、光学部１０３のスキャンのタイミングを同期させて搬送する。なお、１１１、１１２は転写放電器、分離放電器である。ここで、転写放電器１１１によって、ドラム１０４上に形成されたトナー像を用紙Ｐに転写する。そして、分離放電器１１２によって、トナー像の転写された用紙Ｐをドラム１０４から分離する。
【００２６】
この後、搬送部１１３により搬送された用紙Ｐは、定着部１１４において熱と圧により用紙上のトナー像を定着させた後、片面コピーの場合には、排出反転部１１５を通過し、排出ローラ１１６により排出トレイ１１７へ排出される。また、両面コピーの場合には、排出反転部１１５のフラッパ１１８の制御により、再給送搬送部１１９，１２０を経由してレジストローラ１１０まで搬送された後、片面コピーの場合と同様の経路をたどって排出トレイ１１７へ排出される。
【００２７】
また、多重コピーの場合には、用紙Ｐは排出反転部１１５を通り、一度排出ローラ１１６により一部が装置外へ排出される。そして、この後、用紙Ｐの終端がフラッパ１１８を通過し、排出ローラ１１６にまだ挟持されているタイミングでフラッパ１１８を制御すると共に排出ローラ１１６を逆回転させることにより、再度装置内へ搬送される。さらにこの後、再給送搬送部１１９、１２０を経由してレジストローラ１１０まで搬送された後、片面コピーの場合と同様の経路をたどって排出トレイ１１７へ排出される。
【００２８】
ところで、上記構成の装置本体１００において、ドラム１０４の回りには現像部２０１、クリーナ部２０２、一次帯電器２０３等が配置されている。ここで、現像部２０１は、原稿１０１の情報を光学部１０３によりドラム１０４に形成された静電潜像をトナーを用いて現像するものである。そして、この現像部２０１ヘトナーを補給するためのトナー補給容器１が装置本体１００に使用者によって着脱可能に設けられている。
【００２９】
ここで、現像部２０１は、トナー補給容器１を取り外し可能に装着するトナー受入れ装置７と現像器２０１ａとを有しており、更に現像器２０１ａは、現像ローラ２０１ｂと、送り部材２０１ｃを有している。トナー補給容器１から補給されたトナーは、送り部材２０１ｃにより現像ローラ２０１ｂに送られて、この現像ローラ２０１ｂにより感光体ドラム１０４に供給される。
【００３０】
なお、クリーナ部２０２は、感光体ドラム１０４に残留しているトナーを除去するためのものである。また、一次帯電器２０３は、感光体ドラム１０４を帯電するためのものである。
【００３１】
また外装カバーの一部であるトナー補給容器交換用カバー１５が設けてあり、使用者がトナー補給容器１を装置本体１００に装脱着を行う際は、図１の矢印Ａ方向に交換用カバー１５を開けて行う。
【００３２】
〔第１実施形態〕
第１実施形態における現像剤補給容器としてのトナー補給容器１の構成について、図２（ａ）〜（ｃ）を用いて説明する。
【００３３】
トナー補給容器１のトナーを収納する容器本体１ａは中空の略円筒形状であり、容器本体１ａの円周上に、長手方向に延びる略長方形状の排出口としての開口部１ｂが設けられている。更に容器本体１ａの長手方向の一端面にはトナー充填口１ｃが設けられており、トナー充填後、不図示の封止部材等により封止される。また、トナー補給容器１には、ユーザーがトナー補給容器１の着脱操作時に掴むための把手としてのハンドル２が設けられており、該ハンドル２はトナー補給容器１の長手方向の両端に固定されて設けられている。なお、このハンドルの形状は、このような形態に限らず、トナー補給容器の着脱操作時に使用でき、そしてトナー補給容器を回転させるのにあたって十分な機能を有していれば、どのような形状であっても構わない。
【００３４】
開口部１ｂは、図２（ａ）に示すように、トナー補給容器１の外周面に沿った曲率を有した形状の容器シャッター３により封止されている。この容器シャッター３は、開口部１ｂの長手方向の両端に設けられたガイド部材１ｄと係合しており、トナー補給容器１の外周面に沿って周方向にスライド自在に構成されている。
【００３５】
そして、トナー補給容器１がトナー受入れ装置７に装着された後、後述するようにトナー補給容器１が回動する際にトナー補給容器１と共に連れ回らないように、トナー補給容器１の回動に伴ってこの容器シャッター３はトナー受入れ装置７に突き当たることで回動が規制される構成となっている。
【００３６】
このような状態でトナー補給容器１を更に回動させると、容器シャッター３から開口部１ｂが露出されて開封される。
【００３７】
一方、トナー補給容器１を交換するにあたって、後述するようにトナー補給容器１を上記の開封のための回動方向とは逆方向へ回動させると、この容器シャッター３はトナー補給容器１の回動に伴いトナー受入れ装置７に突き当たることで回動が規制される構成となっている。このような状態でトナー補給容器１を更に回動させると、開口部１ｂが容器シャッター３にて遮蔽される位置へと移動し、再封が行われる。
【００３８】
また、容器本体１ａには攪拌部材４が内装され、更に容器本体１ａの長手方向の他端には前記攪拌部材４と連動する駆動ギア部材５が設けられている。従って、トナー補給容器１が画像形成装置本体にセットされてトナー排出可能な状態となった後、該装置本体からの駆動力を駆動ギア部材５を介して攪拌部材４が受けてトナー補給容器１に対し相対回転し、トナー補給容器内のトナーを開口部１ｂから排出する構成になっている。
【００３９】
容器本体１ａの周面上には、容器本体１ａと装置シャッター８の回転移動を連動させる連動部（係合部）としての係合突起６が設けられている。この係合突起６は、トナー補給容器１のトナー受入れ装置７へのセット操作時に、後述する装置シャッター８と係合可能な構成となっている。
【００４０】
すなわち、係合突起６は、図２（ｃ）に示すように、後述するトナー受入れ装置７の補給口７ｂの開封時に面Ｄが装置シャッター８に突き当ることで装置シャッターを押し下げる開封部位としての突起部６ａと、補給口７ｂの再封時に面Ｅが装置シャッター８と引っ掛かることで装置シャッターを引き上げる再封部位としての爪部６ｂとから構成されている。
【００４１】
爪部６ｂと容器本体１ａの外面との間には一定の隙間Ｂを設けてあり、爪部６ｂに矢印Ｃ方向から力が加わると軸中心方向に向かって弾性変形し、その力を除去すると再び元の状態に復帰するスナップフィット構成になっている。なお、変形方向は軸中心方向に限られるものではなく、例えば軸線方向であっても構わない。
【００４２】
なお、連動部の構成として、図１２のような構成であっても何ら構わない。具体的には、図１２のように、連動部のスナップフィット構造部の爪部６ｂの向きが図２と逆向きとなる場合である。このような構成にしても機能上何ら問題なくこのような構成であっても構わない。この場合、装置シャッター側の爪部６ｂと引っ掛かる部分も図１２の爪部６ｂと対応した形状とされる。
【００４３】
また、このような例以外にも、装置シャッターを押し下げて開封し、装置シャッターを引き上げて再封する、といった機能を満足できるものであれば、連動部の形状や寸法等の変更は可能である。
【００４４】
このように連動部にスナップフィット構造部を設けた為、装置シャッターを引き上げて確実に再封することができると共に、装置シャッターの再封後、装置シャッターとの連結係合された状態を容易に解除することが可能となる。
【００４５】
係合突起６は、プラスチック等の樹脂を射出成形して容器本体１ａと一体で製造するのが好ましいが、他の材料及び製造方法であっても、任意に分割、接合しても構わない。また、爪部６ｂは、前述の通り装置シャッター８と係合する際に一旦変形するため、適度な弾性が必要とされる。その材料としては低密度ポリエチレンが最も好ましく、次いでポリプロピレン・直鎖状ポリアミド、例えば商品名ナイロン・高密度ポリエチレン等が好ましく利用できる。
【００４６】
次に第１実施形態における現像剤受入れ装置としてのトナー受入れ装置７の構成について、図３（ａ）〜（ｃ）を用いて説明する。
【００４７】
トナー受入れ装置７には、トナー補給容器１を取り外し可能に装着する収納部７ａと、トナー補給容器１から排出されたトナーを画像形成装置本体内（不図示）に受入れる受入れ口としての補給口７ｂが設けられている。
【００４８】
更に、トナー受入れ装置７には、トナー補給口７ｂを開閉自在に封止する装置シャッター８が設けられている。装置シャッター８は、トナー補給容器１及び収納部７ａの周面形状に沿った半円筒面の形状を有し、収納部７ａ下縁に設けられたガイド部材７ｃと係合している。このような構成とすることで、装置シャッターは円周方向に沿ってスライド移動し、補給口７ｂを開閉自在に封止できるようになっている。
【００４９】
この装置シャッター８は、トナー補給容器１を収納部７ａに装着していない時は、図３（ｃ）に示すように、装置シャッター８の端部近傍がトナー受入れ装置７に設けたストッパー７ｄに突き当たることで補給口７ｂを閉鎖し、画像形成装置本体側から収納部７ａ側へトナーが逆流しないようにする。
【００５０】
また、装置シャッター８には、トナー補給容器１のセット操作時に、トナー補給容器１の係合突起６と係合する係合部８ａが設けられている。
【００５１】
次に、第１実施形態におけるトナー補給容器１及びトナー受入れ装置７を用いたトナー補給操作について、図４（ａ）〜（ｂ）、図５（ａ）〜（ｃ）を用いて説明する。
【００５２】
まずトナー補給容器１を、トナー受入れ装置７へ矢印Ｆ方向から装着する。その際、トナー補給容器１の開口部１ｂは上方を向いており容器シャッター３によって封止された状態にある。即ち、開口部１ｂは装置シャッター８によって封止されている補給口７ｂから離れた位相に位置している。
【００５３】
なお、容器シャッター３は、容器シャッター３の下縁（開封のための移動方向先端縁）と補給口７ｂの上縁の位相が略一致（トナー補給容器１及びトナー受入れ装置７の寸法公差や嵌合ガタ等により生じるズレは含む。以下同じ）した状態のとき、ストッパー７ｄにより円周方向への回転移動が規制される構成となっている（図４（ａ）、図５（ａ）、（ａ′）参照）。
【００５４】
次に、ユーザーがハンドル２を掴んで、トナー充填口１ｃ側から軸線方向に見て第１の回転方向としての反時計回り方向（図５において）へトナー補給容器１を回転させると、容器シャッター３はトナー補給容器１の回転当初は共に連れ回り、その後、容器シャッター３は上述のストッパー７ｄに突き当たり回転移動が規制されることになる。
【００５５】
更にトナー補給容器１の同方向への回転が進んで、トナー補給容器１の開口部１ｂの下縁近傍（開封のための開口部１ｂの回転移動方向先端側近傍）が、容器シャッター３の下縁（開封のための容器シャッター３の回転移動方向先端）から露出するのと略同時に、装置シャッター８の上縁近傍（装置シャッターの回転移動方向後端近傍、即ち、装置シャッターの回転移動方向後端から２ｍｍ以内の領域を指す）と略一致した時（図５（ｂ）、（ｂ′）参照）に、係合突起６の爪部６ｂが弾性変形することにより係合突起６は装置シャッター８の係合部８ａと係合する。
【００５６】
なお、上述の説明では、ストッパー７ｄの厚み（容器の回転方向における長さ）が小さい場合を想定しているが、ストッパー７ｄが所定以上の厚みを有している場合は、トナー補給容器１の開口部１ｂの下縁近傍が、容器シャッター３の下縁から飛び出し更にストッパー７ｄにより遮蔽された位置から露出するのと略同時に、装置シャッター８の上縁近傍の位置（位相）と略一致したときに、係合突起６が装置シャッター８の係合部８ａと係合するように構成するのが好ましい。なお、このとき後述の装置シャッターの再封時においても同様にストッパー７ｄの厚みを考慮してタイミングを設定するのが好ましい。
【００５７】
更にトナー補給容器１を同方向へ回転させると、装置シャッター８は、上縁近傍（装置シャッターの回転移動方向後端近傍、即ち、装置シャッターの回転移動方向後端から２ｍｍ以内の領域を指す）が開口部１ｂの下縁近傍（開口部１ｂの回転移動方向先端側近傍、即ち、開口部の回転移動方向先端から２ｍｍ以内の領域を指す）と略一致した状態を維持したまま、係合突起６の突起部６ａに押されることによりトナー補給容器１と連動して回転移動し、補給口７ｂが開封される。そして、最終的に補給口７ｂと開口部１ｂとが連通した時点で、トナー補給容器１はトナー受入れ装置７に設けられたストッパーに突き当たり回転移動が規制される構成となっている（図４（ｂ）、図５（ｃ）参照）。
【００５８】
このように、補給口７ｂと開口部１ｂとが連通した状態のとき、画像形成装置本体側の駆動機構とカップリングしているトナー補給容器１の駆動カップリング部材５を介して、この駆動機構からの回転駆動力が攪拌部材４へ伝達されて、トナー補給容器からトナー受入れ装置へトナー補給が行われることになる。
【００５９】
トナー補給終了後、補給口７ｂ下縁上にはトナー排出中に蓄積されたトナーが残留している（図５（ｄ）参照）。
【００６０】
この状態において、ユーザーがハンドル２を掴んでトナー充填口１ｃ側から軸線方向に見て第２の回転方向としての時計回り方向（図５において）にトナー補給容器１を逆方向に回転させると、装置シャッター８の係合部８ａはトナー補給容器１の係合突起６に係合した状態を維持されているため、装置シャッター８は、上縁近傍（再封のための装置シャッターの回転移動方向先端近傍、即ち、装置シャッターの回転移動方向先端から２ｍｍ以内の領域を指す）が開口部１ｂの下縁近傍（再封のための開口部１ｂの回転移動方向後端近傍、即ち、開口部の回転移動方向後端から２ｍｍ以内の領域を指す）と略一致したまま、爪部６ｂにより引き上げられてトナー補給容器１と連動して共に回転移動する。
【００６１】
このとき、装置シャッター８の上縁近傍（再封のための装置シャッターの回転移動方向先端近傍、即ち、装置シャッターの回転移動方向先端から２ｍｍ以内の領域を指す）は開口部１ｂの下縁近傍（再封のための開口部１ｂの回転移動方向後端近傍、即ち、開口部の回転移動方向後端から２ｍｍ以内の領域を指す）の回転方向における位置が略一致しており、この状態を維持したまま、装置シャッター８の上縁近傍と開口部１ｂの下縁近傍は補給口７ｂと開口部１ｂとの連通部を通過する。
【００６２】
その際に、前述の補給口７ｂ下縁上に蓄積されたトナーは、トナー補給容器１の再封のための回転移動に伴って、補給口７ｂを通してトナー受入れ装置７内や、開口部１ｂを通して容器本体１ａ内に回収され（図５（ｅ）参照）、このような蓄積トナーによるトナー補給容器１のトナー汚れを可及的に少なくすることができる。
【００６３】
このような構成とすることにより、ユーザーがトナー補給容器１を取り出した際に手を汚すことを抑制することができるためユーザービリティー性の向上を図ることができる。
【００６４】
更にトナー補給容器１を再封のための回転させると、装置シャッター８の上縁近傍（再封のための装置シャッターの回転移動方向先端近傍、即ち、装置シャッターの回転移動方向先端から２ｍｍ以内の領域を指す）がトナー受入れ装置７のストッパー７ｄの下面に突き当たりトナー補給容器１との連れ回りが規制され、装置シャッター８が補給口７ｂを閉じ切るのと略同時に開口部１ｂの上縁近傍（再封のための開口部１ｂの回転移動方向先端近傍、即ち、開口部の回転移動方向先端から２ｍｍ以内の領域を指す）が容器シャッター３に入り込み始めるように、係合突起６は容器本体１ａと装置シャッター８の回転移動を連動させる。
【００６５】
更にトナー補給容器１を回転させると、装置シャッター８はストッパー７ｄに規制されてそれ以上回転しないので、この規制による力によってスナップフィット構成の爪部６ｂは装置シャッター８の係合部から外れる方向に弾性変形し、トナー補給容器１の係合突起６と装置シャッター８の係合部８ａとの係合が解除される。その後、トナー補給容器１が更に回転し、トナー受入れ装置７によってトナー補給容器との連れ回りが規制されている容器シャッター３に開口部１ｂが完全に遮蔽される状態となったとき、トナー補給容器１のガイド部材１ｄに設けられたストッパー突起（不図示）が容器シャッター３に突き当たりトナー補給容器１のこれ以上の回転移動が規制されて、図５（ａ）の状態まで戻る。
【００６６】
そして、最後にユーザーがトナー補給容器１をトナー受入れ装置７から引き出すことにより、一連の再封動作並びにトナー補給容器の取り出し操作が完了する。
【００６７】
なお本実施形態では、トナー補給容器１のトナー受入れ装置７への装着方向を上方向（図４（ａ）の矢印Ｆ方向）からとしたが、これに限定されるものではなく、例えば特開平７−１９９６２３号公報や特開平７−４４０００号公報のように、装置正面方向より装着する、即ち、図１３に示すようにトナー補給容器１の長手方向に沿ってトナー補給容器１をトナー受入れ装置７に対し着脱する構成であっても構わない。
【００６８】
また本実施形態では、トナー受入れ装置７の装着部の側方に設けられた補給口７ｂに対し開口部１ｂが略水平方向を向いたとき連通するような構成とされているが、このような構成に限らない。
【００７０】
上述したように、上記構成のトナー補給容器１にトナーを充填し、トナー受入れ装置７に装着してトナー排出完了後にこれを取り出したところ、トナー補給容器１及びトナー受入れ装置７のトナー汚れは殆ど確認できなかった。
【００７１】
なお、上述したような、「開口部１ｂの下縁近傍と装置シャッター８の上縁近傍の回転方向における位置が一致する」状態とは、図６に示すように「開口部１ｂの下縁と装置シャッター８の上縁との回転方向のずれ量（Ｌ）が回転移動方向に前後５ｍｍ以内」の状態を意味している。トナー排出後のトナー汚れレベルの確認を行った結果、ずれ量（Ｌ）が前後５ｍｍ以内であれば、ずれ量（Ｌ）がゼロである場合（上述した図５の構成）と遜色ない程度で問題ないレベルであった。
【００７２】
よって、本実施形態によれば、トナー補給容器のトナー受入れ装置へのセット動作時の装置シャッター／容器シャッターの開閉を確実に且つ容易に行うことができ、そして、トナー補給容器のトナー汚れを極力抑えることができる。
【００７３】
〔第２実施形態〕
第２実施形態におけるトナー補給容器１の構成について、図７（ａ）〜（ｃ）により説明する。
【００７４】
前述した実施形態では、開封部位としての突起部６ａと封止部位としての爪部６ｂとを一体にした連動部としての係合突起６を例示したが、本実施形態では、前記連動部としての突起を構成する開封部位と封止部位を、各々別体として容器本体の周面に突出して設けた構成としている。
【００７５】
容器本体１ａの周面上には、トナー補給容器１のセット動作時において、前述したトナー受入れ装置７の補給口７ｂの開封時に装置シャッター８を押し下げる開封部位としての押し出し突起９が設けられている。
【００７６】
更に、容器本体１ａの周面上には、補給口７ｂの再封時に装置シャッター８を引掛けて引き上げるため係合する封止部位としての引掛け突起１０が設けられている。この引掛け突起１０は、容器本体１ａの周面から径方向に突出した引掛り部１０ａと、容器本体１ａの軸中心方向に弾性変形する変形部１０ｂとにより構成されている。本実施形態では、容器本体１ａの周面上に突出した突起が、前記開封部位としての押し出し突起９と、前記封止部位としての引掛け突起１０と、から構成されている。
【００７７】
なお、トナー補給容器１のその他の構成、及びトナー受入れ装置７の構成は、前述した第１実施形態と同様であるため、ここでは詳しい説明は省略する。
【００７８】
次に、第２実施形態におけるトナー補給容器１及びトナー受入れ装置７を用いたトナー補給操作について、図８（ａ）〜（ｅ）を用いて説明する。
【００７９】
まずトナー補給容器１を、トナー受入れ装置７へ矢印Ｆ方向から装着する。その際、引掛け突起１０は、引掛り部１０ａが装置シャッター８の周面に押されるため、変形部１０ｂが弾性変形して、容器本体１ａの周面の内側に完全に収納される（図８（ａ）参照）。
【００８０】
次に、ユーザーがハンドル２を掴んでトナー充填口１ｃ側から軸線方向に見て反時計回り方向にトナー補給容器を回転させると、トナー補給容器１はトナー受入れ装置に回転移動が規制された状態の容器シャッター３に対して相対回転する。
【００８１】
更に回転が進んで、開口部１ｂの下縁と容器シャッター３の下縁（図５（ｂ′）参照）の位相が略一致すると、略同時に、押し出し突起９が装置シャッター８の端面に衝突し、更に引掛け突起１０が装置シャッター８の周面による径方向の規制から開放されるため、該引掛け突起１０の変形部１０ｂが元の状態に復帰し、該引掛け突起１０の引掛り部１０ａが装置シャッター８の端部に引掛る状態になる（図８（ｂ）参照）。
【００８２】
更にトナー補給容器１を回転させると、装置シャッター８は押し出し突起９に押されることにより、トナー補給容器１と連動して移動（回転）するため、最終的にトナー受入れ装置７のトナー補給口７ｂとトナー補給容器１の開口部１ｂとが連通する（図８（ｃ）参照）。この状態で、画像形成装置本体からの駆動力を駆動ギア部材５を介して攪拌部材４に伝達することで、トナー補給が可能となる。
【００８３】
トナー補給終了後、補給口７ｂ下縁上には排出中に蓄積されたトナーが残留している（図８（ｄ）参照）。この状態において、ユーザーが今度は逆にハンドル２をトナー充填口１ｃ側から軸線方向に見て時計回り方向に回転すると、引掛り部１０ａが装置シャッター８の端部に引掛かったままであるため、装置シャッター８はトナー補給容器１と連動して移動（回転）し、補給口７ｂを密閉する。その際、前述の蓄積トナーは画像形成装置本体内もしくは容器本体１ａ内に回収できる（図８（ｅ）参照）。
【００８４】
更にトナー補給容器１を回転させると、装置シャッター８はストッパー７ｄに規制されてそれ以上回転しないので、この規制による力によって引掛け突起１０の変形部１０ｂは軸線方向に弾性変形し、装置シャッター８の端部と引掛け突起１０の引掛り部１０ａの係合が解除されるとともに、引掛り部１０ａが装置シャッター８の周面に乗り上げて、容器本体１ａの周面の内側に完全に収納される。従って、トナー補給容器１は装置シャッター８と分離して回転し、最終的に図８（ａ）の状態まで戻る。そして最後にユーザーがトナー補給容器１をトナー受入れ装置７から引き出して、これによって一連のトナー補給操作が完了する。
【００８５】
上述したように、上記構成のトナー補給容器１にトナーを充填し、トナー受入れ装置７に装着してトナー排出後に脱着した結果、トナー補給容器１及びトナー受入れ装置７のトナー汚れは、前述した第１実施形態同様、殆ど確認できなかった。よって、本実施形態によっても、トナー補給容器着脱の際のシャッターの開閉が確実且つ容易に行え、且つトナー補給容器着脱後のトナー汚れを極力抑えることができる。
【００８６】
なお、以下に前述した本実施形態との比較例を例示して、本発明の効果を更に検証する。
【００８７】
＜比較例１＞
第１の比較例におけるトナー補給容器１の構成、並びにそれを用いたトナー補給操作について図９により説明する。
【００８８】
比較例１におけるトナー補給容器１は、トナー補給容器１の補給操作時において、補給口７ｂ開封時に装置シャッター８を押す押し出し突起９が容器本体１ａの周面上に設けられている（即ち、第１実施形態にて係合突起６に突起部６ａを設けない構成、第２実施形態にて引掛け突起１０を設けない構成である）。また比較例１においては、前述した第１及び第２実施形態における容器シャッター３が設けられておらず、開口部１ｂはヒートシール等により封止され、トナー補給容器１を装着した後、前記シールを剥して開口部１ｂを開封してからトナー補給操作を行う構成となっている。トナー補給容器１のその他の構成、及びトナー受入れ装置７の構成は、前述した第１実施形態と略同様とした。
【００８９】
上記構成のトナー補給容器１にトナーを充填し、トナー受入れ装置７に装着してトナー補給容器１を回転させたところ、押し出し突起９により補給口７ｂを開封されるので、トナー補給は可能だった。しかし、装置シャッター８による補給口７ｂの再封止ができないため、トナー補給中に補給口７ｂの下縁上に蓄積したトナーを画像形成装置本体内もしくは容器本体１ａ内に殆ど回収することができず、しかも容器シャッターがないので、容器の汚れを隠すこともできなかった。その結果、比較例１のトナー補給容器１によるトナー補給後、脱着した結果、該トナー補給容器１及びトナー受入れ装置７の表面に大量のトナー汚れが確認された。
【００９０】
従って上記結果から、本発明に係る構成の連動部（前述した実施形態で例示した係合突起６の爪部６ｂや引掛け突起１０など）の効果が確認された。
【００９１】
＜比較例２＞
第２の比較例におけるトナー補給容器１の構成、並びにそれを用いたトナー補給操作について図１０（ａ）〜（ｅ）により説明する。
【００９２】
比較例２におけるトナー補給容器１は、前述した比較例１の構成に加えて、トナー補給容器１の補給操作時において、装置シャッター８を押し上げて補給口７ｂを密閉するための押し上げ突起１１が設けられている。押し上げ突起１１は、トナー補給容器１をトナー受入れ装置７に装着した際に、押し出し突起９の装置シャッター８を挟んだ回転方向の下流側に位置するように構成されている。トナー補給容器１のその他の構成、及びトナー受入れ装置７の構成は、比較例１と同様とした。
【００９３】
上記構成のトナー補給容器１により前述した比較例１と同様の確認を行った結果、比較例１と同様に、押し出し突起９により装置シャッター８を回動させてトナー受入れ装置７の補給口７ｂを開封することはできた（図１０（ｂ）〜（ｃ）参照）。
【００９４】
しかし、この状態においては、装置シャッター８のもう一方の端部と押し上げ突起１１との間に回転位相上の距離Ｈが生じてしまう（図１０（ｄ）参照）。従って、トナー補給終了後、トナー補給容器１を逆方向に回転させると、装置シャッター８の端部に押し上げ突起１１が衝突するまで、即ち前述した距離Ｈの分だけトナー補給容器１が単独で回転してしまう。
【００９５】
このため、トナー補給中にトナー補給口７ｂの下縁上に蓄積された残留トナーで、容器本体１ａの距離Ｈ分の周面が汚れることになる（図１０（ｅ）参照）。更に、この図１０（ｅ）の状態では、前述の残留トナーを少なくとも容器本体１ａ内に回収することはできなくなるため、図１０（ａ）の状態に戻る、即ち補給口７ｂを密閉する際に、画像形成装置本体内に回収しきれない残留トナーが、容器本体１ａと装置シャッター８との隙間に入り込む可能性も大きくなる。
【００９６】
トナー補給容器１を脱着したところ、トナー補給容器１及びトナー受入れ装置７の外面にトナー汚れが確認された。
【００９７】
従って上記結果からも、本発明に係る構成の連動部（前述した実施形態で例示した係合突起６の爪部６ｂや引掛け突起１０など）の効果が確認された。
【００９８】
＜比較例３＞
第３の比較例におけるトナー補給容器１の構成、並びにそれを用いたトナー補給操作について図１１により説明する。
【００９９】
比較例３におけるトナー補給容器１は、前述した比較例２の構成に加えて、第１及び第２実施形態と同様、容器シャッター３が設けられている。トナー補給容器１のその他の構成、及びトナー受入れ装置７の構成は、比較例２と同様とした。
【０１００】
上記構成のトナー補給容器１により比較例１，２と同様の確認を行った結果、比較例２で生じた、トナー補給中にトナー補給口７ｂの下縁上に蓄積された残留トナーによる容器本体１ａの周面のトナー汚れは前記容器シャッター３で隠すことができた。
【０１０１】
しかしながら、比較例２と同様、装置シャッター８の端部に押し上げ突起１１が衝突するまでトナー補給容器１が単独で回転してしまうため、容器本体１ａと装置シャッター８との隙間に前記残留トナーが侵入するのを防ぐことはできなかった。
【０１０２】
このトナー補給容器１を取り外したところ、比較例２に比べ幾分改善されたものの、トナー補給容器１及びトナー受入れ装置７の外面にトナー汚れが確認された。
【０１０３】
従って上記結果からも、本発明に係る構成の連動部（前述した実施形態で例示した係合突起６の爪部６ｂや引掛け突起１０など）の効果が確認された。
【０１０５】
〔他の実施形態〕
前述した実施形態では、画像形成装置について具体的に例示してはいないが、現像剤を用いて画像形成を行う画像形成装置であって、例えば複写機、プリンタ、ファクシミリ装置等の画像形成装置や、これらの機能を組み合わせた複合機等の画像形成装置、或いは、シート等の転写材を担持する転写搬送ベルト、転写ドラム等の転写材担持体を使用し、該転写材担持体に担持された転写材に各色の現像剤像を順次重ねて転写する画像形成装置や、中間転写ベルト、中間転写ドラム等の中間転写体を使用し、該中間転写体に各色の現像剤像を順次重ねて転写し、該中間転写体に担持された現像剤像を転写材に一括して転写する画像形成装置であっても良く、該画像形成装置における現像装置に現像剤を補給する現像剤補給容器に本発明を適用することにより同様の効果を得ることができる。
【０１０６】
また本発明は、画像形成装置に用いられる現像装置の数に限定されるものではなく、例えば、１つの現像装置を有する画像形成装置、或いは、異なる色の現像剤で画像形成を行う複数個の現像装置を有する画像形成装置であっても良く、現像装置の数に関係なく同様に適用ができ、同様の作用効果を達成し得るものである。
【０１０７】
また、本発明の現像剤補給容器は、画像形成装置に着脱自在に設けられて収納されている現像剤を画像形成装置に補給する構成に限らず、例えば、画像形成装置に着脱自在に設けられたプロセスカートリッジ（トナー受入れ装置に相当する）に対し、現像剤補給容器を着脱自在に構成し、更に、このプロセスカートリッジへ収納されている現像剤を補給する構成であっても良い。
【０１０８】
なお、このプロセスカートリッジは、上記実施形態にて説明した像担持体としての電子写真感光体１０４と、この感光体１０４に作用する帯電器２０３、現像器２０１ａ、クリーナ２０２のうちの少なくとも１つの画像形成機器を一体に備えたものを指す。
【０１０９】
以上において本発明を適用可能な実施例について説明したが本発明の権利範囲はこれに限られることは無く、本発明の思想の範囲内において種々の構成を公知の他の構成に変更可能であることは言うまでもない。
【図面の簡単な説明】
【０１１０】
【図１】本発明の実施形態におけるトナー補給容器が装着される電子写真画像形成装置の一例である電子写真複写機の構成を示す。
【図２】第１実施形態におけるトナー補給容器を示す、（ａ）斜視図、（ｂ）側面、（ｃ）Ａ部拡大図である。
【図３】第１実施形態における、（ａ）トナー受入れ装置を示す斜視図、（ｂ）トナー受入れ装置の補給口開封時の様子を示す斜視図、（ｃ）トナー受入れ装置の補給口密封時の様子を示す斜視図である。
【図４】第１実施形態における、（ａ）トナー補給容器のトナー受入れ装置装着直後の様子を示す斜視図、（ｂ）トナー補給容器のトナー受入れ装置装着後ハンドル回転後の様子を示す斜視図である。
【図５】第１実施形態におけるトナー補給容器のトナー排出操作での、（ａ）容器装着直後、（ａ′）トナー開口周辺拡大、（ｂ）容器回転中、（ｂ′）トナー開口周辺拡大、（ｃ）トナー排出中、（ｄ）トナー排出完了、（ｅ）容器回転中の様子を示す側面断面図である。
【図６】第１実施形態におけるトナー補給容器のトナー排出操作での、開口部１ｂの下縁と装置シャッター８の上縁の位相がずれた状態、の様子を示す側面断面図である。
【図７】第１実施形態におけるトナー補給容器を示す、（ａ）上方向斜視図、（ｂ）下方向斜視図である。
【図８】第２実施形態におけるトナー補給容器のトナー排出操作での、（ａ）容器装着直後、（ｂ）容器回転中、（ｃ）トナー排出中、（ｄ）トナー排出完了、（ｅ）容器回転中の様子を示す側面断面図である。
【図９】第１の比較例におけるトナー補給容器のトナー排出操作での容器装着直後の様子を示す側面断面図である。
【図１０】第２の比較例におけるトナー補給容器のトナー排出操作での、（ａ）容器装着直後、（ｂ）容器回転中、（ｃ）トナー排出中、（ｄ）トナー排出完了、（ｅ）容器回転中の様子を示す側面断面図である。
【図１１】第３の比較例におけるトナー補給容器のトナー排出操作での容器装着直後の様子を示す側面断面図である。
【図１２】本発明の他の適用例におけるトナー補給容器を示す、（ａ）斜視図、（ｂ）側面、（ｃ）Ａ部拡大図である。
【図１３】本発明の他の適用例における、（ａ）トナー補給容器を示す斜視図、（ｂ）トナー受入れ装置を示す斜視図、である。
【符号の説明】
【０１１１】
１    …トナー補給容器（現像剤補給容器）
１ａ  …容器本体
１ｂ  …開口部（排出口）
１ｃ  …トナー充填口
１ｄ  …ガイド部材
２    …ハンドル
３    …容器シャッター
４    …攪拌部材
５    …駆動ギア部材
６    …係合突起（連動部）
６ａ  …突起部（開封部位）
６ｂ  …爪部（封止部位）
７    …トナー受入れ装置（現像剤受入れ装置）
７ａ  …収納部
７ｂ  …補給口（受入れ口）
７ｃ  …ガイド部材
７ｄ  …ストッパー
８    …装置シャッター
８ａ  …係合部
９    …押し出し突起（開封部位）
１０  …引掛け突起（封止部位）
１０ａ …引掛り部
１０ｂ …変形部
【図１】
0004693393.tif 000002
【図２】
0004693393.tif 000003
【図３】
0004693393.tif 000004
【図４】
0004693393.tif 000005
【図５】
0004693393.tif 000006
【図６】
0004693393.tif 000007
【図７】
0004693393.tif 000008
【図８】
0004693393.tif 000009
【図９】
0004693393.tif 000010
【図１０】
0004693393.tif 000011
【図１１】
0004693393.tif 000012
【図１２】
0004693393.tif 000013
【図１３】
0004693393.tif 000014